(57)【要約】【課題】従来の光源装置では、効率化することが困難である。【解決手段】光源と、前記光源を支持する支持壁を有する支持プレート７１と、前記光源を介して前記支持壁に対向し、前記光源からの光を受ける面である受光面を有する導光板４３と、導光板４３を支持するフレーム４１と、を含み、支持プレート７１は、前記支持壁を支持する天板部７７を有しており、天板部７７は、導光板４３の前記受光面とは交差する面である交差面側に位置しており、フレーム４１には、支持プレート７１を引っ掛ける爪部１０９が設けられている、ことを特徴とする光源装置。【選択図】図１６
2011060485.tif 000002
【特許請求の範囲】
【請求項１】
光源と、
前記光源を支持する支持壁を有する支持部と、
前記光源を介して前記支持壁に対向し、前記光源からの光を受ける面である受光面を有する光学素子と、
前記光学素子を支持するフレームと、を含み、
前記支持部は、前記支持壁を支持する天板部を有しており、
前記天板部は、前記光学素子の前記受光面とは交差する面である交差面側に位置しており、
前記フレーム及び前記支持部の少なくとも一方には、前記フレーム及び前記支持部の他方を引っ掛ける爪部が設けられている、
ことを特徴とする光源装置。
【請求項２】
前記フレームは、前記光学素子の前記交差面とは反対側の面である反対面に対向しており、
前記天板部は、平面視で、前記光学素子をまたいでおり、
前記爪部は、平面視で、前記光学素子に重なる領域よりも外側に設けられている、
ことを特徴とする請求項１に記載の光源装置。
【請求項３】
前記フレームには、平面視で、前記光学素子に重なる領域よりも外側、且つ、前記天板部が前記光学素子をまたぐ方向に前記天板部を延長した２つの延長領域に、それぞれ、前記光学素子よりも前記天板部側に向かって突出した側壁部が設けられており、
前記爪部は、前記フレームにおいて、前記２つの延長領域のうちの一方に設けられており、
前記２つの延長領域のうちの他方における前記側壁部には、前記天板部に嵌合する嵌合部が設けられている、
ことを特徴とする請求項２に記載の光源装置。
【請求項４】
前記フレームには、前記光源及び前記支持壁を介して前記受光面に対峙する第２側壁部が設けられている、
ことを特徴とする請求項３に記載の光源装置。
【請求項５】
２つの前記側壁部のそれぞれと、前記第２側壁部とが相互につながっている、
ことを特徴とする請求項４に記載の光源装置。
【請求項６】
前記天板部に、前記支持壁側とは反対側に突出するつまみ部が設けられている、
ことを特徴とする請求項１乃至５のいずれか一項に記載の光源装置。
【請求項７】
前記爪部は、前記側壁部に対峙する向きに設けられている、
ことを特徴とする請求項３乃至６のいずれか一項に記載の光源装置。
【請求項８】
前記光学素子は、前記受光面を介して入射した光の少なくとも一部を、前記交差面とは反対側に向けて射出させる機能を有する、
ことを特徴とする請求項１乃至７のいずれか一項に記載の光源装置。
【請求項９】
前記光学素子の前記交差面側に、平面視で、前記光学素子の領域に重なるふた部が設けられている、
ことを特徴とする請求項８に記載の光源装置。
【請求項１０】
前記支持部及び前記ふた部は、それぞれ、アルミニウムを成分の１つとして含む材料で構成されており、且つ互いに接している、
ことを特徴とする請求項９に記載の光源装置。
【請求項１１】
前記光源に電気的につながる配線部を有し、
前記天板部は、平面視で、前記光学素子に重なっており、
前記配線部は、前記支持壁と前記光源との間に介在し、且つ前記支持壁と前記光源との間から前記天板部と前記ふた部との間を這って前記支持部の外側に延びており、
前記天板部には、平面視で前記配線部に重なる領域に、前記天板部の前記ふた部側の面から、前記天板部の前記ふた部側とは反対側に向かって凹となる凹部が設けられている、
ことを特徴とする請求項１０に記載の光源装置。
【請求項１２】
光源と、
前記光源を支持する支持壁を有する支持部と、
前記光源を介して前記支持壁に対向する受光面に前記光源から入射した光を、前記受光面とは交差する面である射出面から射出させる光学素子と、
前記光学素子を支持するフレームと、
前記光学素子の前記射出面に対向し、前記射出面から受ける前記光の量を、前記光の進路の途中で複数の画素の前記画素ごとに選択的に制御することによって画像を形成する画像形成部と、を含み、
前記支持部は、前記支持壁を支持する天板部を有しており、
前記天板部は、前記光学素子の前記射出面側とは反対側に位置しており、
前記フレーム及び前記支持部の少なくとも一方には、前記フレーム及び前記支持部の他方を引っ掛ける爪部が設けられている、
ことを特徴とする電気光学装置。
【請求項１３】
前記フレームは、前記光学素子と前記画像形成部との間に介在しており、且つ前記射出面から射出した光を前記画像形成部側に通す開口部が設けられており、
前記天板部は、平面視で、前記光学素子をまたいでおり、
前記爪部は、平面視で前記光学素子に重なる領域よりも外側に設けられている、
ことを特徴とする請求項１２に記載の電気光学装置。
【請求項１４】
前記光学素子の前記射出面側とは反対側に、平面視で、前記光学素子の領域に重なるふた部が設けられている、
ことを特徴とする請求項１２又は１３に記載の電気光学装置。
【請求項１５】
前記支持部及び前記ふた部は、それぞれ、アルミニウムを成分の１つとして含む材料で構成されており、且つ互いに接している、
ことを特徴とする請求項１４に記載の電気光学装置。
【請求項１６】
前記光源に電気的につながる配線部を有し、
前記天板部は、平面視で、前記光学素子に重なっており、
前記配線部は、前記支持壁と前記光源との間に介在し、且つ前記支持壁と前記光源との間から前記天板部と前記ふた部との間を這って前記支持部の外側に延びており、
前記天板部には、平面視で前記配線部に重なる領域に、前記天板部の前記ふた部側の面から、前記天板部の前記ふた部側とは反対側に向かって凹となる凹部が設けられている、
ことを特徴とする請求項１５に記載の電気光学装置。
【請求項１７】
前記画像形成部の前記光学素子側とは反対側から、前記画像形成部、前記フレーム及び前記光学素子を収容する第２フレームを有しており、
前記第２フレームには、平面視で、前記天板部の領域よりも外側に、前記天板部の領域よりも外側から前記天板部の領域内に向かって曲げられたカシメ部が設けられている、
ことを特徴とする請求項１２乃至１６のいずれか一項に記載の電気光学装置。
【請求項１８】
前記画像形成部は、電界を形成する一対の電極と、前記一対の電極間に介在する液晶と、を有する、
ことを特徴とする請求項１２乃至１７のいずれか一項に記載の電気光学装置。
【請求項１９】
請求項１２乃至１８のいずれか一項に記載の電気光学装置を有する、
ことを特徴とする電子機器。
【発明の詳細な説明】
【技術分野】
【０００１】
本発明は、光源装置、電気光学装置及び電子機器等に関する。
【背景技術】
【０００２】
従来から、電気光学装置の１つとして液晶表示装置が知られている。液晶表示装置には、バックライトなどの光源装置（照明装置）を有するものがある。このような光源装置では、ＬＥＤ（Light Emitting Diode）などの光源を容易に交換することができる構成が知られている（例えば、特許文献１参照）。
【先行技術文献】
【特許文献】
【０００３】
【特許文献１】特開２００７−３１１３２７号公報
【発明の概要】
【発明が解決しようとする課題】
【０００４】
上記特許文献１には、光源を容易に交換することができる構成の１つとして、導光板及び光源を収納するケースの側面に開口部を設けた構成（第１の構成と呼ぶ）が記載されている。また、この特許文献１には、光源が固定されたＬ字形状の部材とケースとをねじで締結する構成（第２の構成と呼ぶ）も記載されている。
第１の構成では、ケースの側面に設けられた開口部を介して、光源をケースから抜き出したり、挿入したりすることができる。しかしながら、第１の構成では、ほこりなどの異物が、開口部を介してケース内に進入しやすい。
これに対し、第２の構成では、Ｌ字形状の部材をケースに挿入したときに、ケースの開口部をＬ字形状の部材で塞ぎやすい。このため、第２の構成では、異物がケース内に進入することを防ぎやすい。しかしながら、第２の構成では、Ｌ字形状の部材とケースとをねじで締結するため、第１の構成に比較して部品点数が増加する。
つまり、従来の光源装置では、効率化することが困難であるという課題がある。
【課題を解決するための手段】
【０００５】
本発明は、上述の課題の少なくとも一部を解決するためになされたものであり、以下の形態又は適用例として実現され得る。
【０００６】
［適用例１］光源と、前記光源を支持する支持壁を有する支持部と、前記光源を介して前記支持壁に対向し、前記光源からの光を受ける面である受光面を有する光学素子と、前記光学素子を支持するフレームと、を含み、前記支持部は、前記支持壁を支持する天板部を有しており、前記天板部は、前記光学素子の前記受光面とは交差する面である交差面側に位置しており、前記フレーム及び前記支持部の少なくとも一方には、前記フレーム及び前記支持部の他方を引っ掛ける爪部が設けられている、ことを特徴とする光源装置。
【０００７】
この適用例の光源装置は、光源と、支持部と、光学素子と、フレームと、を含む。支持部は、支持壁と、天板部と、を有している。支持壁は、光源を支持する。天板部は、支持壁を支持している。
光学素子は、受光面を有している。受光面は、光源からの光を受ける面である。受光面は、光源を介して支持壁に対向している。
フレームは、光学素子を支持する。
天板部は、交差面側に位置している。交差面は、光学素子の受光面とは交差する面である。
そして、フレーム及び支持部の少なくとも一方には、フレーム及び支持部の他方を引っ掛ける爪部が設けられている。
上記の構成によれば、爪部による引っ掛かりを外すことによって、支持部を外しやすくすることができる。これにより、光源を支持部ごと交換しやすくすることができる。
また、この光源装置では、受光面を支持壁と天板部とで隠しやすい。これにより、異物の進入を防ぎやすくすることができる。
【０００８】
［適用例２］上記の光源装置であって、前記フレームは、前記光学素子の前記交差面とは反対側の面である反対面に対向しており、前記天板部は、平面視で、前記光学素子をまたいでおり、前記爪部は、平面視で、前記光学素子に重なる領域よりも外側に設けられている、ことを特徴とする光源装置。
【０００９】
この適用例では、フレームは、反対面に対向している。反対面は、光学素子の交差面とは反対側の面である。また、天板部は、平面視で、光学素子をまたいでいる。そして、爪部は、平面視で、光学素子に重なる領域よりも外側に設けられている。
上記の構成により、平面視で、光学素子に重なる領域よりも外側で、爪部にフレームや支持部を引っ掛けることができる。
【００１０】
［適用例３］上記の光源装置であって、前記フレームには、平面視で、前記光学素子に重なる領域よりも外側、且つ、前記天板部が前記光学素子をまたぐ方向に前記天板部を延長した２つの延長領域に、それぞれ、前記光学素子よりも前記天板部側に向かって突出した側壁部が設けられており、前記爪部は、前記フレームにおいて、前記２つの延長領域のうちの一方に設けられており、前記２つの延長領域のうちの他方における前記側壁部には、前記天板部に嵌合する嵌合部が設けられている、ことを特徴とする光源装置。
【００１１】
この適用例では、フレームには、平面視で、光学素子に重なる領域よりも外側に、側壁部が設けられている。フレームにおいて、側壁部は、天板部が光学素子をまたぐ方向に天板部を延長した２つの延長領域のそれぞれに設けられている。側壁部は、それぞれ、光学素子よりも天板部側に向かって突出している。
フレームにおいて、爪部は、２つの延長領域のうちの一方に設けられている。２つの延長領域のうちの他方における側壁部には、天板部に嵌合する嵌合部が設けられている。
上記の構成によれば、天板部の一端側が嵌合部に嵌合し、他端側が爪部に引っ掛けられるので、爪部が天板部の両端側に設けられている場合に比較して、爪部の数を低減することができる。これにより、爪部が天板部の両端側に設けられている場合に比較して、支持部を一層外しやすくすることができる。
【００１２】
［適用例４］上記の光源装置であって、前記フレームには、前記光源及び前記支持壁を介して前記受光面に対峙する第２側壁部が設けられている、ことを特徴とする光源装置。
【００１３】
この適用例では、フレームには、第２側壁部が設けられている。第２側壁部は、光源及び支持壁を介して受光面に対峙する。この構成によれば、受光面を２つの側壁部と第２側壁部とで隠しやすくすることができるので、異物の進入を一層防ぎやすくすることができる。
【００１４】
［適用例５］上記の光源装置であって、２つの前記側壁部のそれぞれと、前記第２側壁部とが相互につながっている、ことを特徴とする光源装置。
【００１５】
この適用例では、２つの側壁部のそれぞれと、第２側壁部とが相互につながっているので、受光面を２つの側壁部と第２側壁部とで囲みやすくすることができる。このため、異物の進入を一層防ぎやすくすることができる。
【００１６】
［適用例６］上記の光源装置であって、前記天板部に、前記支持壁側とは反対側に突出するつまみ部が設けられている、ことを特徴とする光源装置。
【００１７】
この適用例では、天板部につまみ部が設けられている。つまみ部は、支持壁側とは反対側に突出している。この構成によれば、つまみ部を摘むことによって、支持部を一層外しやすくすることができる。
【００１８】
［適用例７］上記の光源装置であって、前記爪部は、前記側壁部に対峙する向きに設けられている、ことを特徴とする光源装置。
【００１９】
この適用例では、爪部が側壁部に対峙するので、天板部を爪部と側壁部との間に挟持させやすくすることができる。これにより、引っ掛かりの確実性を高めやすくすることができる。
【００２０】
［適用例８］上記の光源装置であって、前記光学素子は、前記受光面を介して入射した光の少なくとも一部を、前記交差面とは反対側に向けて射出させる機能を有する、ことを特徴とする光源装置。
【００２１】
この適用例では、受光面を介して光学素子に入射した光の少なくとも一部の進路を、交差面とは反対側に曲げることができる。
【００２２】
［適用例９］上記の光源装置であって、前記光学素子の前記交差面側に、平面視で、前記光学素子の領域に重なるふた部が設けられている、ことを特徴とする光源装置。
【００２３】
この適用例では、光学素子の交差面側にふた部が設けられているので、光学素子の交差面側に漏れる光を低く抑えやすくすることができる。
【００２４】
［適用例１０］上記の光源装置であって、前記支持部及び前記ふた部は、それぞれ、アルミニウムを成分の１つとして含む材料で構成されており、且つ互いに接している、ことを特徴とする光源装置。
【００２５】
この適用例では、支持部及びふた部は、それぞれ、アルミニウムを成分の１つとして含む材料で構成されている。アルミニウムは、熱伝導性が高い材料の１つである。
また、この光源装置では、支持部及びふた部が、互いに接している。
上記の構成によれば、例えば、光源が発熱したときに、光源からの熱を、支持部及びふた部を介して放熱させやすくすることができる。
【００２６】
［適用例１１］上記の光源装置であって、前記光源に電気的につながる配線部を有し、前記天板部は、平面視で、前記光学素子に重なっており、前記配線部は、前記支持壁と前記光源との間に介在し、且つ前記支持壁と前記光源との間から前記天板部と前記ふた部との間を這って前記支持部の外側に延びており、前記天板部には、平面視で前記配線部に重なる領域に、前記天板部の前記ふた部側の面から、前記天板部の前記ふた部側とは反対側に向かって凹となる凹部が設けられている、ことを特徴とする光源装置。
【００２７】
この適用例の光源装置は、配線部を有している。配線部は、支持壁と光源との間に介在しており、光源に電気的につながっている。この光源装置では、天板部は、平面視で、光学素子に重なっている。配線部は、支持壁と光源との間から天板部とふた部との間を這って支持部の外側に延びている。
この光源装置では、天板部に凹部が設けられている。天板部において、凹部は、平面視で配線部に重なる領域に設けられている。凹部は、天板部のふた部側の面から、天板部のふた部側とは反対側に向かって凹となる向きに設けられている。
上記の構成によれば、ふた部と配線部と天板部とを重ねたときに、配線部を凹部内に収めやすくすることができる。このため、ふた部と天板部とを接触させやすくすることができる。この結果、天板部とふた部との間の熱伝導を高めやすくすることができ、放熱性を高めやすくすることができる。
【００２８】
［適用例１２］光源と、前記光源を支持する支持壁を有する支持部と、前記光源を介して前記支持壁に対向する受光面に前記光源から入射した光を、前記受光面とは交差する面である射出面から射出させる光学素子と、前記光学素子を支持するフレームと、前記光学素子の前記射出面に対向し、前記射出面から受ける前記光の量を、前記光の進路の途中で複数の画素の前記画素ごとに選択的に制御することによって画像を形成する画像形成部と、を含み、前記支持部は、前記支持壁を支持する天板部を有しており、前記天板部は、前記光学素子の前記射出面側とは反対側に位置しており、前記フレーム及び前記支持部の少なくとも一方には、前記フレーム及び前記支持部の他方を引っ掛ける爪部が設けられている、ことを特徴とする電気光学装置。
【００２９】
この適用例の電気光学装置は、光源と、支持部と、光学素子と、フレームと、画像形成部と、を含む。支持部は、支持壁と、天板部と、を有している。支持壁は、光源を支持する。天板部は、支持壁を支持している。
光学素子は、受光面と、射出面と、を有している。受光面は、光源を介して支持壁に対向している。受光面には、光源からの光が入射する。受光面を介して光学素子に入射した光は、射出面から射出する。受光面と射出面とは、互いに交差している。
フレームは、光学素子を支持する。
画像形成部は、光学素子の射出面に対向している。画像形成部は、射出面から受ける光の量を、光の進路の途中で複数の画素の画素ごとに選択的に制御することによって画像を形成する。
上記の構成により、この電気光学装置では、画像を表示することができる。
また、この電気光学装置では、天板部は、光学素子の射出面側とは反対側に位置している。そして、フレーム及び支持部の少なくとも一方には、フレーム及び支持部の他方を引っ掛ける爪部が設けられている。
上記の構成によれば、爪部による引っ掛かりを外すことによって、支持部を外しやすくすることができる。これにより、光源を支持部ごと交換しやすくすることができる。
また、この電気光学装置では、受光面を支持壁と天板部とで隠しやすい。これにより、異物の進入を防ぎやすくすることができる。
【００３０】
［適用例１３］上記の電気光学装置であって、前記フレームは、前記光学素子と前記画像形成部との間に介在しており、且つ前記射出面から射出した光を前記画像形成部側に通す開口部が設けられており、前記天板部は、平面視で、前記光学素子をまたいでおり、前記爪部は、平面視で前記光学素子に重なる領域よりも外側に設けられている、ことを特徴とする電気光学装置。
【００３１】
この適用例では、フレームは、光学素子と画像形成部との間に介在している。フレームには、射出面から射出した光を画像形成部側に通す開口部が設けられている。
また、天板部は、平面視で、光学素子をまたいでいる。そして、爪部は、平面視で、光学素子に重なる領域よりも外側に設けられている。
上記の構成により、平面視で、光学素子に重なる領域よりも外側で、爪部にフレームや支持部を引っ掛けることができる。
【００３２】
［適用例１４］上記の電気光学装置であって、前記光学素子の前記射出面側とは反対側に、平面視で、前記光学素子の領域に重なるふた部が設けられている、ことを特徴とする電気光学装置。
【００３３】
この適用例では、光学素子の射出面側とは反対側にふた部が設けられているので、光学素子の射出面側とは反対側に漏れる光を低く抑えやすくすることができる。
【００３４】
［適用例１５］上記の電気光学装置であって、前記支持部及び前記ふた部は、それぞれ、アルミニウムを成分の１つとして含む材料で構成されており、且つ互いに接している、ことを特徴とする電気光学装置。
【００３５】
この適用例では、支持部及びふた部は、それぞれ、アルミニウムを成分の１つとして含む材料で構成されている。アルミニウムは、熱伝導性が高い材料の１つである。
また、この電気光学装置では、支持部及びふた部が、互いに接している。
上記の構成によれば、例えば、光源が発熱したときに、光源からの熱を、支持部及びふた部を介して放熱させやすくすることができる。
【００３６】
［適用例１６］上記の電気光学装置であって、前記光源に電気的につながる配線部を有し、前記天板部は、平面視で、前記光学素子に重なっており、前記配線部は、前記支持壁と前記光源との間に介在し、且つ前記支持壁と前記光源との間から前記天板部と前記ふた部との間を這って前記支持部の外側に延びており、前記天板部には、平面視で前記配線部に重なる領域に、前記天板部の前記ふた部側の面から、前記天板部の前記ふた部側とは反対側に向かって凹となる凹部が設けられている、ことを特徴とする電気光学装置。
【００３７】
この適用例の電気光学装置は、配線部を有している。配線部は、支持壁と光源との間に介在しており、光源に電気的につながっている。この電気光学装置では、天板部は、平面視で、光学素子に重なっている。配線部は、支持壁と光源との間から天板部とふた部との間を這って支持部の外側に延びている。
この電気光学装置では、天板部に凹部が設けられている。天板部において、凹部は、平面視で配線部に重なる領域に設けられている。凹部は、天板部のふた部側の面から、天板部のふた部側とは反対側に向かって凹となる向きに設けられている。
上記の構成によれば、ふた部と配線部と天板部とを重ねたときに、配線部を凹部内に収めやすくすることができる。このため、ふた部と天板部とを接触させやすくすることができる。この結果、天板部とふた部との間の熱伝導を高めやすくすることができ、放熱性を高めやすくすることができる。
【００３８】
［適用例１７］上記の電気光学装置であって、前記画像形成部の前記光学素子側とは反対側から、前記画像形成部、前記フレーム及び前記光学素子を収容する第２フレームを有しており、前記第２フレームには、平面視で、前記天板部の領域よりも外側に、前記天板部の領域よりも外側から前記天板部の領域内に向かって曲げられたカシメ部が設けられている、ことを特徴とする電気光学装置。
【００３９】
この適用例の電気光学装置は、第２フレームを有している。第２フレームは、画像形成部の光学素子側とは反対側から、画像形成部、フレーム及び光学素子を収容する。第２フレームには、カシメ部が設けられている。カシメ部は、平面視で、天板部の領域よりも外側に設けられている。カシメ部は、天板部の領域よりも外側から天板部の領域内に向かって曲げられている。
上記の構成によれば、カシメ部によって支持部がフレームから外れにくくすることができる。
【００４０】
［適用例１８］上記の電気光学装置であって、前記画像形成部は、電界を形成する一対の電極と、前記一対の電極間に介在する液晶と、を有する、ことを特徴とする電気光学装置。
【００４１】
この適用例では、画像形成部は、電界を形成する一対の電極と、一対の電極間に介在する液晶と、を有する。これにより、液晶装置を利用して電気光学装置を構成することができる。
【００４２】
［適用例１９］上記の電気光学装置を有する、ことを特徴とする電子機器。
【００４３】
この適用例の電子機器は、電気光学装置を有している。この電気光学装置は、光源と、支持部と、光学素子と、フレームと、画像形成部と、を含む。支持部は、支持壁と、天板部と、を有している。支持壁は、光源を支持する。天板部は、支持壁を支持している。
光学素子は、受光面と、射出面と、を有している。受光面は、光源を介して支持壁に対向している。受光面には、光源からの光が入射する。受光面を介して光学素子に入射した光は、射出面から射出する。受光面と射出面とは、互いに交差している。
フレームは、光学素子を支持する。
画像形成部は、光学素子の射出面に対向している。画像形成部は、射出面から受ける光の量を、光の進路の途中で複数の画素の画素ごとに選択的に制御することによって画像を形成する。
上記の構成により、この電気光学装置では、画像を表示することができる。
また、この電気光学装置では、天板部は、光学素子の射出面側とは反対側に位置している。そして、フレーム及び支持部の少なくとも一方には、フレーム及び支持部の他方を引っ掛ける爪部が設けられている。
上記の構成によれば、爪部による引っ掛かりを外すことによって、支持部を外しやすくすることができる。これにより、光源を支持部ごと交換しやすくすることができる。
また、この電気光学装置では、受光面を支持壁と天板部とで隠しやすい。これにより、異物の進入を防ぎやすくすることができる。
そして、この電子機器は、この電気光学装置を有している。このため、この電子機器では、電気光学装置において、光源を交換しやすくすることができる。また、この電子機器では、電気光学装置において、異物の進入を防ぎやすくすることができる。
【図面の簡単な説明】
【００４４】
【図１】本実施形態における表示装置の主要構成を示す斜視図。
【図２】本実施形態における表示装置の主要構成を示す分解斜視図。
【図３】図２中のＡ−Ａ線における断面図。
【図４】図２中のＣ−Ｃ線における断面図。
【図５】本実施形態におけるフレームを示す断面図。
【図６】本実施形態における導光板を示す断面図。
【図７】本実施形態における背面プレートを示す断面図。
【図８】本実施形態における光源ユニットを示す斜視図。
【図９】本実施形態における支持プレートを示す斜視図。
【図１０】本実施形態における照明装置を示す断面図。
【図１１】本実施形態における表示装置の組み立て方法の一例を説明する図。
【図１２】本実施形態における表示装置の組み立て方法の一例を説明する図。
【図１３】図１２（ａ）中のＥ−Ｅ線における断面図。
【図１４】図１２（ｂ）中のＦ−Ｆ線における断面図。
【図１５】本実施形態における表示装置の組み立て方法の一例を説明する図。
【図１６】図１５（ａ）中のＨ−Ｈ線における断面図。
【図１７】本実施形態における光源ユニットをフレームに係止する方法を説明する図。
【図１８】本実施形態における光源ユニットをフレームに係止する方法を説明する図。
【図１９】本実施形態における表示装置が適用された電子機器の斜視図。
【発明を実施するための形態】
【００４５】
実施形態について、電気光学装置の１つである液晶装置を利用した表示装置を例に、図面を参照しながら説明する。
本実施形態における表示装置１は、図１に示すように、表示面３を有している。本実施形態では、表示面３が向けられている側が前側と呼ばれる。また、前側とは反対側が後側と呼ばれる。
表示装置１では、複数の画素５が設定されている。複数の画素５は、平面視で、図中のＸ方向及びＹ方向に配列しており、Ｘ方向を行方向とし、Ｙ方向を列方向とするマトリクスを構成している。
【００４６】
表示装置１は、図２に示すように、表示パネル７と、外枠９と、照明装置１１と、を有している。
外枠９は、表示パネル７の前側に位置している。照明装置１１は、表示パネル７の後側に位置している。本実施形態では、表示パネル７は、外枠９と照明装置１１とによって挟持されている。
上述した複数の画素５は、表示パネル７に設定されている。表示パネル７において、複数の画素５は、表示領域１３内に設定されている。表示装置１では、照明装置１１から表示パネル７に入射された光を、複数の画素５から選択的に表示面３を介して表示パネル７の外に射出することで、表示面３に画像を表示することができる。なお、表示領域１３とは、画像が表示され得る領域である。図１や図２では、構成をわかりやすく示すため、画素５が誇張され、且つ画素５の個数が減じられている。
【００４７】
表示パネル７は、図２中のＡ−Ａ線における断面図である図３に示すように、液晶パネル１５と、ＦＰＣ（Flexible Printed Circuits）１７と、偏光板１９ａ及び偏光板１９ｂと、を有している。
液晶パネル１５は、素子基板２１と、対向基板２３と、を有している。素子基板２１と対向基板２３とは、互いに対向している。素子基板２１は、対向基板２３の後側に位置している。対向基板２３は、素子基板２１の前側に位置している。素子基板２１と対向基板２３との間には、図示しない液晶が介在している。液晶は、対向基板２３の周縁よりも内側で表示領域１３を囲むシール材（図示せず）によって、素子基板２１及び対向基板２３の間に封止されている。
素子基板２１には、前側すなわち対向基板２３側に、複数の画素５のそれぞれに対応して、スイッチング素子などが設けられている。
【００４８】
ＦＰＣ１７は、液晶パネル１５に供給される種々の信号や電力を中継する。素子基板２１には、平面視で対向基板２３の輪郭よりも張り出した張出領域が設けられている。ＦＰＣ１７は、素子基板２１の張出領域の前側に貼付されている。
偏光板１９ａは、素子基板２１の後側に設けられている。偏光板１９ｂは、対向基板２３の前側に設けられている。表示装置１では、偏光板１９ａ及び１９ｂは、偏光板１９ａにおける光の透過軸の方向と、偏光板１９ｂにおける光の透過軸の方向とが、互いに直交する方向に設定されている。偏光板１９ａ及び１９ｂは、それぞれ、透過軸の方向に偏光軸を有する光を透過させることができる。
【００４９】
外枠９は、図２に示すように、枠板部３１と、側板部３３と、を有している。枠板部３１には、開口部３５が設けられている。側板部３３は、枠板部３１の周縁に設けられており、枠板部３１から後側に突出している。外枠９は、後側から前側に向かって凹となる凹状を呈している。
外枠９には、側板部３３に爪部３７が設けられている。本実施形態では、４つの爪部３７が設けられている。爪部３７は、側板部３３において、Ｙ方向に延在するとともに互いに対峙する２つの部位のそれぞれに、２つずつ設けられている。
上記の構成を有する外枠９は、照明装置１１に前側から被せられる。外枠９が照明装置１１に被せられた状態において、表示パネル７の表示領域１３は、開口部３５を介して視認され得る。
【００５０】
照明装置１１は、図２中のＣ−Ｃ線における断面図である図４に示すように、フレーム４１と、導光板４３と、背面プレート４５と、光源ユニット４７と、を有している。
フレーム４１には、図５に示すように、凹部５１と、凹部５３と、が設けられている。凹部５１と凹部５３とは、平面視で互いに重なっている。
凹部５１は、フレーム４１の前側に設けられており、前側から後側に向かって凹となる向きに設けられている。凹部５３は、フレーム４１の後側に設けられており、後側から前側に向かって凹となる向きに設けられている。
凹部５１と凹部５３とは、仕切部５５によって仕切られている。仕切部５５には、凹部５１と凹部５３との間を貫通する開口部５７が設けられている。
凹部５３の側壁部５９には、穴部６１が設けられている。穴部６１は、凹部５３の内側からフレーム４１の外側に向かって凹となる向きに設けられている。穴部６１は、後述する背面プレート４５に形成されている爪部が引っ掛かる部位である。なお、側壁部５９は、平面視で、凹部５３の周縁に沿って一連して設けられており、凹部５３を囲んでいる。
フレーム４１の材料としては、例えば、プラスチックなどの樹脂が採用され得る。
【００５１】
導光板４３は、図６に示すように、前側に向けられる光射出面４３ａと、後側に向けられる底面４３ｂと、受光面４３ｃと、を有している。受光面４３ｃは、導光板４３の一側面である。このため、光射出面４３ａ及び底面４３ｂは、それぞれ、受光面４３ｃに交差している。
背面プレート４５は、図７に示すように、底板部６５の周縁に底板部６５から前側に突出する側壁部６７を有する凹状を呈している。なお、側壁部６７は、底板部６５の周囲のうち一部において欠落している。また、側壁部６７の一部には、爪部６９が設けられている。爪部６９は、側壁部６７の内側から外側に向かって突出している。本実施形態では、背面プレート４５の材料として、アルミニウムやアルミニウム合金などのアルミニウムを成分の１つとして含む材料が採用されている。
光源ユニット４７は、斜視図である図８に示すように、支持プレート７１と、複数（本実施形態では、１２個）の光源７３と、ＦＰＣ７５と、を有している。なお、図４に示す光源ユニット４７の断面は、図８中のＤ−Ｄ線における断面に相当している。
【００５２】
支持プレート７１は、図９に示すように、Ｙ方向に延在しており、天板部７７と、壁板部７９と、を有している。壁板部７９は、天板部７７の前側に設けられており、天板部７７から前側に向かって突出している。本実施形態では、支持プレート７１の材料として、アルミニウムやアルミニウム合金などのアルミニウムを成分の１つとして含む材料が採用されている。
天板部７７には、前側に凹部８１が形成されている。凹部８１は、Ｘ方向に延在しており、前側から後側に向かって凹となる向きに形成されている。なお、凹部８１の深さは、ＦＰＣ７５の厚み寸法よりも深い寸法に形成されている。
【００５３】
また、天板部７７には、後側につまみ部８３が設けられている。つまみ部８３は、天板部７７から後側に向かって突出している。
また、天板部７７には、後述するフレーム４１の嵌合孔に嵌合する突起部８５が設けられている。
本実施形態では、天板部７７において、平面視で、Ｙ方向に延在するとともに互いに対峙する２つの辺の一方に壁板部７９が設けられ、他方につまみ部８３が設けられている。また、突起部８５は、天板部７７において、平面視で、Ｘ方向に延在する一辺に設けられている。
【００５４】
複数の光源７３は、図８に示すように、支持プレート７１の壁板部７９に支持されている。複数の光源７３は、壁板部７９の支持壁８７に支持されている。支持壁８７は、壁板部７９の面のうちでつまみ部８３側に向いている面である。なお、本実施形態では、光源７３として、ＬＥＤ（Light Emitting Diode）が採用されている。
ＦＰＣ７５は、各光源７３に供給する電力を中継するためのものであり、複数の光源７３と支持壁８７との間に挟持されている。ＦＰＣ７５は、引出部８９を有している。引出部８９は、ＦＰＣ７５を延長するために設けられており、凹部８１に沿ってＸ方向に延在している。引出部８９と凹部８１とは、平面視で、互いに重なっている。そして、平面視で、凹部８１に重なる領域において、引出部８９の厚みは、凹部８１内に収められる。
【００５５】
照明装置１１において、導光板４３は、図１０に示すように、光射出面４３ａが前側に向けられた状態で、フレーム４１の凹部５３内に収容されている。つまり、照明装置１１において、導光板４３は、光射出面４３ａが仕切部５５側に向けられている。
背面プレート４５は、導光板４３の後側に位置しており、後側から導光板４３に被せられている。背面プレート４５の側壁部６７は、導光板４３とフレーム４１の側壁部５９との間に挟まれている。背面プレート４５は、爪部６９がフレーム４１の穴部６１に引っ掛かることによってフレーム４１に係止される。
【００５６】
光源ユニット４７は、背面プレート４５の後側に位置している。照明装置１１では、支持プレート７１の天板部７７が背面プレート４５の後側に位置し、壁板部７９が導光板４３の受光面４３ｃとフレーム４１の側壁部５９との間に位置している。壁板部７９の支持壁８７は、受光面４３ｃに向けられている。このため、光源７３は、受光面４３ｃに向いている。なお、背面プレート４５において、導光板４３の受光面４３ｃに対峙する領域では、側壁部６７が欠落している箇所が存在する。側壁部６７が欠落している箇所を介して、光源７３からの光が受光面４３ｃに照射される。
照明装置１１において、背面プレート４５と光源ユニット４７とは、底板部６５と天板部７７とが互いに接した状態で設けられている。
【００５７】
光源７３からの光は、受光面４３ｃを介して導光板４３に入射する。導光板４３に入射した光は、導光板４３の中で反射を繰り返しながら光射出面４３ａから射出する。光射出面４３ａから射出した光は、フレーム４１の開口部５７を介して凹部５１内に向かう。後述するが、凹部５１には、図２に示す表示パネル７が収容される。導光板４３を射出して開口部５７を介して凹部５１内に向かう光は、凹部５１に収容された表示パネル７に照射される。表示パネル７では、図示しない液晶の駆動を画素５ごとに制御することによって、導光板４３から照射された光が画素５ごとに変調される。これにより、表示面３に画像が表示され得る。
なお、照明装置１１の構成としては、導光板４３と仕切部５５との間に、拡散シートや、プリズムシート、反射偏光シートなどが介在した構成や、導光板４３と背面プレート４５との間に、反射シートなどが介在した構成なども採用され得る。これにより、光の利用効率を高めることができる。
【００５８】
ここで、表示装置１の組み立て方法の一例を説明する。
この例では、まず、図１１（ａ）に示すように、フレーム４１の凹部５３に導光板４３を収容する。
次いで、図１１（ｂ）に示すように、背面プレート４５を、導光板４３の後側から導光板４３に被せる。このとき、背面プレート４５の爪部６９を、フレーム４１の穴部６１内に引っ掛ける。これにより、フレーム４１と背面プレート４５とが、互いに係止される。
次いで、図１２（ａ）に示すように、フレーム４１の凹部５１に表示パネル７を収容する。
【００５９】
ここで、フレーム４１には、図２に示すように、平面視でＦＰＣ１７に重なる領域に溝部１０１が設けられている。溝部１０１は、フレーム４１の前側の面から側面を経て後側の面に及んでいる。溝部１０１の深さは、ＦＰＣ１７の厚み寸法よりも深い寸法に設定されている。フレーム４１の凹部５１に表示パネル７を収容すると、ＦＰＣ１７は、溝部１０１内に収められる。
そして、ＦＰＣ１７は、図１２（ａ）中のＥ−Ｅ線における断面図である図１３に示すように、溝部１０１に沿って背面プレート４５の後側に引き回される。
【００６０】
次いで、図１２（ｂ）に示すように、外枠９を、フレーム４１の前側からフレーム４１に被せる。
ここで、外枠９には、図１２（ｂ）中のＦ−Ｆ線における断面図である図１４に示すように、側板部３３の一部に爪部１０３が設けられている。爪部１０３は、外枠９の外側から内側に向かって突出している。また、フレーム４１には、爪部１０３に対応する箇所に、穴部１０５が設けられている。穴部１０５は、フレーム４１の内側から外側に向かって凹となる向きに設けられている。
外枠９をフレーム４１に被せるとき、外枠９の爪部１０３を、フレーム４１の穴部１０５内に引っ掛ける。これにより、外枠９とフレーム４１とが、互いに係止される。
なお、フレーム４１には、嵌合孔１０７と、爪部１０９と、が設けられている。嵌合孔１０７には、前述した支持プレート７１（図９）の突起部８５がはめ込まれる。嵌合孔１０７と爪部１０９とは、導光板４３を挟んでＹ方向に互いに対峙する位置に設けられている。
【００６１】
次いで、図１５（ａ）に示すように、光源ユニット４７を、背面プレート４５の後側からフレーム４１に組み込む。
このとき、図１５（ａ）中のＨ−Ｈ線における断面図である図１６に示すように、支持プレート７１の突起部８５をフレーム４１の嵌合孔１０７に嵌合させ、天板部７７の突起部８５側とは反対側の端部に爪部１０９を引っ掛ける。
嵌合孔１０７及び爪部１０９は、それぞれ、天板部７７をＹ方向に延長した延長領域に設けられている。このため、天板部７７は、平面視で、側壁部５９の嵌合孔１０７が設けられている部位と、爪部１０９とによって挟まれる。
これにより、図１５（ａ）に示す光源ユニット４７がフレーム４１に係止される。
【００６２】
光源ユニット４７をフレーム４１に係止する手順としては、まず、図１７に示すように、支持プレート７１をフレーム４１に対して傾斜させた状態で突起部８５を嵌合孔１０７に挿入する。嵌合孔１０７には、凹部５３の内側から外枠９側に向かって孔が広がる方向に傾斜する傾斜部１０７ａが設けられている。このため、支持プレート７１をフレーム４１に対して傾斜させた状態で突起部８５を嵌合孔１０７に挿入することができる。
次いで、図１８に示すように、爪部１０９を導光板４３側とは反対側（外側）にたわませた状態で、支持プレート７１を背面プレート４５に近づける。この状態で、爪部１０９のたわみを戻して、爪部１０９を支持プレート７１に引っ掛けることによって、図１６に示すように、光源ユニット４７がフレーム４１に係止される。
【００６３】
次いで、図１５（ｂ）に示すように、外枠９の爪部３７を、平面視で外枠９の内側に向けて折り曲げる。Ｘ方向に対峙する一対の爪部３７のうちの一方は、光源ユニット４７の天板部７７の後側に当接する。Ｘ方向に対峙する一対の爪部３７のうちの他方は、背面プレート４５の底板部６５の後側に当接する。
折り曲げられた爪部３７は、カシメ部として、光源ユニット４７や、背面プレート４５の脱落を妨げる機能を有する。
上記により、図１に示す表示装置１が組み立てられ得る。
【００６４】
なお、本例では、フレーム４１に外枠９を被せてから、光源ユニット４７をフレーム４１に組み込む順序が例示されている。しかしながら、表示装置１の組み立て方法における工程の順序は、これに限定されない。
工程の順序としては、例えば、光源ユニット４７をフレーム４１に組み込んでから、フレーム４１に外枠９を被せる順序も採用され得る。
また、工程の順序としては、例えば、フレーム４１に外枠９を被せてから、フレーム４１の凹部５３に導光板４３を収容する順序も採用され得る。
【００６５】
表示装置１では、光源ユニット４７を交換することが可能である。
光源ユニット４７の交換では、まず、図１５（ｂ）に示す天板部７７に当接している爪部３７を、平面視で外枠９の外側に向けて折り曲げる。
次いで、図１８に示すように、爪部１０９を導光板４３側とは反対側（外側）にたわませることによって、爪部１０９と支持プレート７１との引っ掛かりを解除する。
次いで、図１７に示すように、支持プレート７１をフレーム４１に対して傾斜させることによって、支持プレート７１をフレーム４１から離間させる。このとき、図９に示すつまみ部８３を摘むことによって、支持プレート７１をフレーム４１から離間させやすくすることができる。
次いで、突起部８５を嵌合孔１０７から引き抜くことによって、光源ユニット４７を表示装置１から取り外すことができる。
そして、新たな光源ユニット４７をフレーム４１に組み込むことによって、光源ユニット４７の交換が完了する。
【００６６】
本実施形態において、照明装置１１が光源装置に対応し、支持プレート７１が支持部に対応し、導光板４３が光学素子に対応し、光射出面４３ａが射出面に対応し、底面４３ｂが交差面に対応している。また、表示パネル７が画像形成部に対応し、爪部１０９が爪部に対応し、嵌合孔１０７が嵌合部に対応し、背面プレート４５がふた部に対応し、ＦＰＣ７５が配線部に対応し、外枠９が第２フレームに対応し、爪部３７がカシメ部に対応している。
【００６７】
本実施形態では、光源ユニット４７をフレーム４１に組み込んだ状態で、図１０に示すように、導光板４３の受光面４３ｃを天板部７７と壁板部７９とで隠しやすくすることができる。このため、受光面４３ｃと光源７３との間に異物が進入することを低く抑えることができる。
また、本実施形態では、フレーム４１に凹部５３を囲む側壁部５９が設けられている。これにより、受光面４３ｃを側壁部５９で隠しやすくすることができる。このため、受光面４３ｃと光源７３との間に異物が進入することを一層低く抑えることができる。
また、本実施形態では、側壁部５９が凹部５３の周縁に沿って一連して設けられているので、フレーム４１の剛性を高めやすくすることができる。
【００６８】
また、本実施形態では、ねじなどの締結部材を用いることなく、光源ユニット４７をフレーム４１に係止することができる。このため、部品点数の増加を低く抑えやすくすることができるので、照明装置１１や表示装置１の効率化を図りやすくすることができる。
また、本実施形態では、支持プレート７１につまみ部８３が設けられているので、光源ユニット４７のフレーム４１に対する着脱を容易にすることができる。これにより、照明装置１１や表示装置１の効率化を一層図りやすくすることができる。
また、本実施形態では、嵌合孔１０７と爪部１０９とが互いに対峙しているので、天板部７７を爪部１０９と側壁部５９との間に挟持させやすくすることができる。これにより、天板部７７と爪部１０９と引っ掛かりの確実性を高めやすくすることができる。
【００６９】
また、本実施形態では、導光板４３の後側に背面プレート４５が設けられている。これにより、導光板４３の後側に漏れる光を低く抑えやすくすることができる。
また、本実施形態では、背面プレート４５の材料として、アルミニウムやアルミニウム合金などのアルミニウムを成分の１つとして含む材料が採用されている。アルミニウムは、熱伝導性が高い材料の１つである。このため、照明装置１１に発生した熱を、背面プレート４５を介して放熱しやすくすることができる。
また、本実施形態では、支持プレート７１の材料として、アルミニウムやアルミニウム合金などのアルミニウムを成分の１つとして含む材料が採用されている。このため、例えば、光源７３が発熱したときに、光源７３からの熱を、支持プレート７１を介して放熱しやすくすることができる。
【００７０】
また、本実施形態では、背面プレート４５と支持プレート７１とが互いに接している。このため、光源７３からの熱を、支持プレート７１及び背面プレート４５を介して放熱しやすくすることができる。
また、本実施形態では、支持プレート７１に凹部８１が設けられている。このため、背面プレート４５の後側に支持プレート７１の天板部７７を当接させたときに、ＦＰＣ７５の引出部８９を凹部８１内に収めることができる。これにより、背面プレート４５と支持プレート７１との接触の度合いを高めやすくすることができる。この結果、背面プレート４５と支持プレート７１との間の熱伝導を高めやすくすることができ、放熱性を高めやすくすることができる。
また、本実施形態では、外枠９に爪部３７が設けられている。爪部３７は、平面視で外枠９の内側に向けて折り曲げられる。これにより、天板部７７は、背面プレート４５に押し付けられる。このため、背面プレート４５と支持プレート７１とを当接させやすくすることができる。この結果、背面プレート４５と支持プレート７１との間の熱伝導を一層高めやすくすることができ、放熱性を一層高めやすくすることができる。
【００７１】
なお、本実施形態では、フレーム４１に爪部１０９を設けた構成を例示したが、爪部１０９の構成はこれに限定されず、支持プレート７１に爪部１０９を設けた構成も採用され得る。
また、爪部１０９の構成としては、フレーム４１及び支持プレート７１の双方に爪部１０９を設けた構成も採用され得る。
また、爪部１０９の構成としては、外枠９に爪部１０９を設けた構成や、外枠９及び支持プレート７１の双方に爪部１０９を設けた構成も採用され得る。
また、本実施形態では、フレーム４１に嵌合孔１０７を設けた構成を例示したが、嵌合孔１０７の構成はこれに限定されず、外枠９に嵌合孔１０７を設けた構成も採用され得る。
また、本実施形態では、爪部１０９が嵌合孔１０７に対峙する位置に設けられているが、爪部１０９の構成はこれに限定されず、爪部１０９を壁板部７９に対峙する位置に設けた構成も採用され得る。
【００７２】
上述した表示装置１は、例えば、図１９に示す電子機器５００の表示部５１０に適用され得る。この電子機器５００は、複写機である。表示部５１０には、複写に関する様々な情報が表示される。
この電子機器５００では、表示部５１０に表示装置１が適用されているので、表示部５１０における光源ユニット４７の交換を容易にしやすくすることができる。また、ねじなどの締結部材を用いることなく、光源ユニット４７をフレーム４１に係止することができる。このため、部品点数の増加を低く抑えやすくすることができるので、表示部５１０の効率化を図りやすくすることができる。
なお、電子機器５００としては、複写機に限られず、プリンター、ファクシミリ等の種々の電子機器が挙げられる。
【符号の説明】
【００７３】
１…表示装置、３…表示面、５…画素、７…表示パネル、９…外枠、１１…照明装置、１３…表示領域、１５…液晶パネル、１７…ＦＰＣ、１９ａ，１９ｂ…偏光板、２１…素子基板、２３…対向基板、３１…枠板部、３３…側板部、３５…開口部、３７…爪部、４１…フレーム、４３…導光板、４３ａ…光射出面、４３ｂ…底面、４３ｃ…受光面、４５…背面プレート、４７…光源ユニット、５１…凹部、５３…凹部、５５…仕切部、５７…開口部、５９…側壁部、６１…穴部、６５…底板部、６７…側壁部、６９…爪部、７１…支持プレート、７３…光源、７５…ＦＰＣ、７７…天板部、７９…壁板部、８１…凹部、８３…つまみ部、８５…突起部、８７…支持壁、８９…引出部、１０１…溝部、１０３…爪部、１０７…嵌合孔、１０９…爪部、５００…電子機器、５１０…表示部。
【図１】
2011060485.tif 000003
【図２】
2011060485.tif 000004
【図３】
2011060485.tif 000005
【図４】
2011060485.tif 000006
【図５】
2011060485.tif 000007
【図６】
2011060485.tif 000008
【図７】
2011060485.tif 000009
【図８】
2011060485.tif 000010
【図９】
2011060485.tif 000011
【図１０】
2011060485.tif 000012
【図１１】
2011060485.tif 000013
【図１２】
2011060485.tif 000014
【図１３】
2011060485.tif 000015
【図１４】
2011060485.tif 000016
【図１５】
2011060485.tif 000017
【図１６】
2011060485.tif 000018
【図１７】
2011060485.tif 000019
【図１８】
2011060485.tif 000020
【図１９】
2011060485.tif 000021